(57)【特許請求の範囲】
【請求項１】
地面に設置される標示具Ｂであって、
標示情報を記憶した記憶回路２７が内蔵されたＩＣタグ２５と、
上面に視認可能な表示３０が付され、前記ＩＣタグ２５の上面を覆う金属製の表示プレート２２と、
前記表示プレート２２の下面に配置された磁性層２３と、
前記磁性層２３とＩＣタグ２５の間に挿入された非磁性層２４と、
を備え、
前記表示プレート２２は中心部に挿通孔２２ａが形成されており、
さらに、前記挿通孔２２ａと合致する挿通孔２９ａを有し、前記磁性層２３、非磁性層２４およびＩＣタグ２５のうち、少なくとも非磁性層２４およびＩＣタグ２５を貫通し、かつ標示具Ｂの下面に露出するワッシャ２９を備えた標示具。
【請求項２】
地面に設置される標示具Ｂであって、
標示情報を記憶した記憶回路２７が内蔵されたＩＣタグ２５と、
上面に視認可能な表示３０が付され、前記ＩＣタグ２５の上面を覆う金属製の表示プレート２２と、
前記表示プレート２２の下面に配置された磁性層２３と、
前記磁性層２３とＩＣタグ２５の間に挿入された非磁性層２４と、
を備え、
前記表示プレート２２、磁性層２３、非磁性層２４およびＩＣタグ２５は、中心部に挿通孔２２ａ，２３ａ，２９ａを有している標示具。
【請求項３】
請求項１または２において、前記非磁性層２４がゴムまたはスポンジである標示具。
【請求項４】
請求項１，２または３において、前記磁性層２３が磁性体からなるシートである標示具。
【請求項５】
地面に設置される標示具Ｂであって、
標示情報を記憶した記憶回路２７が内蔵されたＩＣタグ２５と、
上面に視認可能な表示３０が付され、前記ＩＣタグ２５の上面の一部を覆う金属製の表示プレート２２と、
を備えた標示具。
【請求項６】
請求項５において、さらに、
前記ＩＣタグ２５を保持する樹脂製の保持体２８を備え、
前記表示プレート２２は中心部に挿通孔２２ａが形成され、
前記挿通孔２２ａと合致する挿通孔２９ａを有し、前記保持体２８とＩＣタグ２５を貫通して前記表示プレート２２の下面に接触し、かつ標示具Ｂの下面に露出するワッシャ２９を備えた標示具。
【請求項７】
請求項５または６において、前記表示プレート２２に外周部から中心部に向かって凹入した１つ以上の凹入部２２ｂが設けられ、前記ＩＣタグ２５の上面の一部が前記凹入部２２ｂから露出している標示具。
【請求項８】
請求項５または６において、前記表示プレート２２の外周に、前記ＩＣタグ２５の上面の一部が前記外周を取り囲む形で露出している標示具。
【発明の詳細な説明】
【技術分野】
【０００１】
本発明は、少なくとも一部が地面に埋設される杭のような標示体の頭部に装着されるか、地盤表面に直接固定または接着されることにより地面に設置され、土地の境界表示や区画番号、基準点からの距離、測量点などの地理的情報や、ケーブル、水道管、ガス管などの埋設状況のような地上情報あるいは道路、鉄道などのメンテナンス履歴情報を備えた標示具に関する。
【背景技術】
【０００２】
この種の標示具として、本願出願人は、地盤に一部もしくは全部が埋め込まれる位置標示部材の頭部に形成した上部開放の収容部に、標示情報を内蔵した識別体を収容したもので、検出器を前記頭部へ近付けることにより前記識別体から標示情報を非接触で読出できる標示杭について出願済である（特許文献１参照）。この場合の識別体としては例えばＩＣタグが用いられ、検出器としては指向性のある磁界を発生させる磁界発生器と受信器とを備えたものが用いられ、磁界発生器で発生した磁界が前記ＩＣタグのコイル状のアンテナに付加されたとき、アンテナから発信される特有の周波数の電磁波を前記受信器で受信する。
【特許文献１】特開２００４−３０９２５５号
【発明の開示】
【発明が解決しようとする課題】
【０００３】
ところが、前記先行技術の場合、識別体であるＩＣタグが標示杭の頭部に形成した収容部に収容されているため、前記頭部の上方に検出器を接近させて磁界を付加したときに、前記ＩＣタグのアンテナから電磁波が主に上方に向かって発信される。検出作業の従事者は、通常、側方から標示杭に近付くので、標示杭の側方から検出器を接近させて磁界を付加させたときには、アンテナから発信される電磁波の強度が弱くなって標示情報の検出精度が低いか、標示情報の読取りができないことがある。
【０００４】
本発明の目的は、ＩＣタグの標示情報の検出が容易に行え、標示情報を高い検出精度で読み取れる標示具を提供することにある。
【課題を解決するための手段】
【０００５】
前記した目的を達成するために、本発明の第１構成にかかる標示具は、地面に設置される標示具であって、標示情報を記憶した記憶回路が内蔵されたＩＣタグと、上面に視認可能な表示が付され、前記ＩＣタグの上面を覆う金属製の表示プレートと、前記表示プレートの下面に配置された磁性層と、前記磁性層とＩＣタグの間に挿入された非磁性層とを備えている。ここで、地面に設置とは、地面に埋設される杭のような標示体の頭部に装着する場合や、標示体を用いることなく岩場のような地盤表面に釘による打ち付けや接着などによって取り付ける場合を含む。また、表示プレートに付される視認可能な表示とは、文字や番号のような表記のみならず、「＋」、「−」、「×」または「○」など、標示具の存在を視認させる単純な記号を含む。
【０００６】
この第１構成によれば、外部からの磁界の付加によってＩＣタグから発信される電磁波は、磁性層に引き込まれるが、その際、表示プレートの下面に配置された磁性層とＩＣタグとの間に、非磁性層の厚み分だけの間隔があるから、ＩＣタグと磁性層との間の磁気抵抗が大きくなるので、ＩＣタグからからの電磁波は、ＩＣタグの径方向外方に漏れ出したのち、磁性層に引き込まれる。したがって、作業者が通常の検出作業で標示具に側方から検出器を近づけたとき、この側方からの標示具の検出および標示情報の読出しが容易になる。また、ＩＣタグの上面は金属製の表示プレートで覆われるので、ＩＣタグが外部環境から保護される。さらに、ＩＣタグの情報が読み取れない場合でも、表示プレートの表示を視認することによって、標示具の存在を認識できる。
【０００７】
第１構成において、前記表示プレートは中心部に挿通孔が形成されており、さらに、前記挿通孔と合致する挿通孔を有し、前記磁性層、非磁性層およびＩＣタグのうち、少なくとも非磁性層およびＩＣタグを貫通し、かつ標示具の下面に露出するワッシャを備えるのが好ましい。
【０００８】
この構成によれば、ピンや釘を前記表示プレートの挿通孔とワッシャの挿通孔に挿通して杭に打ち込むことにより標示具を杭に装着するとき、打ち込みの際の衝撃は、表示プレートのみ、または表示プレートおよび磁性層と、ワッシャとに加えられるだけで、ＩＣタグには直接加えられないから、ＩＣタグが保護される。
【０００９】
前記第１構成にかかる標示具において、好ましくは、前記非磁性層がゴムまたはスポンジである。このような構成にした場合、外部から標示具に対して衝撃が加わっても、この衝撃を前記ゴムまたはスポンジにより吸収緩和できるので、ＩＣタグを損傷から保護することができる。
【００１０】
前記第１構成にかかる標示具において、好ましくは、前記磁性層が磁性体からなるシートである。磁性体がシートであることで、表示プレートに対して接着などにより容易に取り付けることができて施工性に優れ、シート全体にわたって均一な厚みとすることですべての部位で均等な磁気特性を確保できる。
【００１１】
本発明の第２構成にかかる標示具は、地面に設置される標示具であって、標示情報を記憶した記憶回路が内蔵されたＩＣタグと、上面に視認可能な表示が付され、前記ＩＣタグの上面の一部を覆う金属製の表示プレートとを備えている。
【００１２】
この構成によれば、ＩＣタグの上面の一部しか金属製の表示プレートで覆われない、つまり、ＩＣタグ上面の一部を除く他の部分は表示プレートで覆われずに外部に露出している。したがって、外部からの磁界の付加によってＩＣタグから発信される電磁波は表示プレートで覆われていない露出部分でその通過が阻まれることなく側方ないし上側方へ多く漏れ出す。これにより、第１構成にかかる標示具と同様、作業者が通常の検出作業で標示具に側方から検出器を近づけたとき、この側方からの標示具の検出および標示情報の読出しが容易となる。この標示具の場合でも、ＩＣタグの上面の一部を除いて金属製の表示プレートで覆われているので、ＩＣタグが外部環境から保護される。さらに、ＩＣタグの情報が読み取れない場合でも、表示プレートの表示を視認することによって、標示具の存在を認識できる。
【００１３】
前記第２構成にかかる標示具において、さらに、前記ＩＣタグを保持する樹脂製の保持体を備え、前記表示プレートは中心部に挿通孔が形成され、前記挿通孔と合致する挿通孔を有し、前記保持体とＩＣタグを貫通して前記表示プレートの下面に接触し、かつ標示具の下面に露出するワッシャを備えているのが好ましい。
【００１４】
この構成によれば、ＩＣタグが保持体により標示具内に安定して保持される。保持体は樹脂製なので電磁波を通過させるから、検出の妨げとならない。しかも、ピンや釘を前記表示プレートの挿通孔とワッシャの挿通孔に挿通して杭に打ち込むことにより標示具を杭に装着するとき、打ち込みの際の衝撃は、表示プレートとワッシャとに加えられるだけで、ＩＣタグには直接加えられないから、ＩＣタグが保護される。
【００１５】
前記第２構成にかかる標示具において、好ましくは、前記表示プレートに外周部から中心部に向かって凹入した１つ以上の凹入部が設けられ、前記ＩＣタグの上面の一部が前記凹入部から露出している。
【００１６】
この構成によれば、表示プレートの外径をＩＣタグと同一にまで大きくして表示プレートを目立ち易くしても、表示プレートに設けた凹入部によりＩＣタグを露出させて、検出精度を向上させることができる。
【００１７】
前記第２構成にかかる標示具において、好ましくは、前記表示プレートの外周に、前記ＩＣタグの上面の一部が前記外周を取り囲む形で露出している。これによれば、やはりＩＣタグの露出部分が増えるので、検出精度が向上する。
【発明の効果】
【００１８】
本発明によれば、表示プレートにより覆われたＩＣタグから電磁波を漏れ出させることができるので、標示具の検出および標示情報の読出しが容易になる。また、ＩＣタグの上面は金属製の表示プレートで覆われるので、ＩＣタグが外部環境から保護される。さらに、ＩＣタグの情報が読み取れない場合でも、表示プレートの表示を視認することによって、標示具の存在を認識できる。
【発明を実施するための最良の形態】
【００１９】
以下、本発明の好ましい実施形態について図面を参照しながら説明する。図1 は、本発明の第1 実施形態にかかる標示具を杭に装着した斜視図を示す。同図に示す杭Ａは、地盤Ｇに進入する先鋭部１１と胴部１２と頭部１３とからなる杭本体１と、前記頭部１３を覆うキャップ１４と、このキャップ１４に装着される標示具Ｂとを備えている。標示具Ｂは、杭本体1 を地盤Ｇの所定の位置に打ち込んで埋設する前または埋設した後で、杭本体1 のキャップ１４の頂面１４ａ中央に設けた円形の凹所１４ｂに載置し、金属製のピン、または市販の釘やねじ類のような係止部材１５をハンマーで打ち込むことにより固着される。杭本体１は頂部１４ａを除く全部もしくは一部が地盤Ｇに埋設されるが、この例では、二点鎖線ＧＬで示すように、キャップ１４の直下まで埋設されている。
【００２０】
前記杭本体１の材料には、樹脂製、木製、コンクリート製のものが用いられ、好ましくは樹脂製のものが用いられる。樹脂製のものとしては、ポリエチレン、ポリプロピレン、ポリエステル、ポリスチロール、ポリアミド、ポリスルホンなどの熱可塑性樹脂の単独もしくは混合物、あるいは廃棄樹脂が用いられる。また、キャップ１４の材料には、ポリエチレン、ポリプロピレン、フッ素樹脂、ポリカーボネート、ポリスルフォン、ポリエステルなどの熱可塑性樹脂やフェノール、ポリイミドなどの熱硬化性樹脂が用いられる。
【００２１】
図２は図１の要部の拡大断面図を示す。同図に示すように、杭A に装着される標示具Ｂは、上層から金属製の表示プレート２２と磁性層２３と非磁性層２４とＩＣタグ２５とが積層され、中央部にワッシャ２９が挿入された構造となっている。つまり、分解斜視図である図３に示すように、下面に磁性層２３が配置された金属製の表示プレート２２と標示情報を記憶した記憶回路２７が内蔵され、アンテナ２６を備えたＩＣタグ２５との間に、シート状の非磁性層２４を挟み込み、非磁性層２４とＩＣタグ２５の中央部にワッシャ２９を嵌め込んだ構造となっている。これら表示プレート２２、磁性層２３、非磁性層２４、ＩＣタグ２５、およびワッシャ２９は、標示具Ｂ５の中心軸Ｏに沿って同心状に配置されて互いに接着により接合されている。接着により互いに結合されている。
【００２２】
前記磁性層２３としては、フェライト粉末の焼結体からなるシートやアモルファス金属からなるシートが用いられ、前記表示プレート２２の下面に接着することで形成するが、これ以外に、例えばフェライト粉末の焼結体やアモルファス金属粉を含む塗料を前記表示プレート２２の下面に一定厚でコーティングして形成してもよい。非磁性層２４としては、ゴムやスポンジのような、磁性を持たず、弾力性があって衝撃緩和性のある材料を用いるが、ゴムより硬い樹脂を用いてもよい。
【００２３】
表示プレート２２および磁性層２３のそれぞれの中央部には、係止部材１５を挿通させるための挿通孔２２ａ，２３ａが形成されている。磁性層２３の下方に位置する非磁性層２４およびＩＣタグ２５にはそれぞれ、前記挿通孔２２ａよりも大径で、ワッシャ２９の外径とほぼ同一内径の開口２４ａおよび２５ａが形成されており、これら開口２４ａ，２５ａにワッシャ２９が挿通される。ワッシャ２９はアルミニウム製あるいはシリコンゴムのような樹脂製で、その中央部に前記表示プレート２２の挿通孔２２ａの内径と合致した径の挿通孔２９ａが設けられている。
【００２４】
このようにして各部材２２〜２５が組み合わされると、非磁性層２４とワッシャ２９の上面が面一となり、磁性層２３の下面に接触する。ワッシャ２９の下面はＩＣタグ２５の下面と面一であり、標示具Ｂの下面に露出している。ワッシャ２９は、磁性層２３をも貫通させてもよく、その場合、ワッシャ２９の上面は表示プレート２２の下面に接触する。ワッシャ２９は、標示具Ｂを図１の杭本体１の頭部１３に係止部材１５で打ち付けて固着するときの衝撃緩和を目的としてＩＣタグ２５の保護のために用いられるものである。また、表示プレート２２、磁性層２３およびワッシャ２９の挿通孔２２ａ，２３ａ，２９ａは、ハンマーで係止部材１５を打ち込みやすくするためのものである。したがって、標示具Ｂを接着により杭本体１の頭部１３に固着する場合には、ワッシャ２９および挿通孔２２ａ，２３ａ，２９ａは割愛できる。
【００２５】
前記表示プレート２２は、ステンレス鋼、真鍮、アルミニウム等の金属で形成されており、標示具Ｂの平面図である図４に示すように、その上面に視認可能な表示として、識別または管理用の番号もしくは記号のような識別表示３０が刻印または印刷により付されている。図４に示す一例の場合、「１１−５７１」という識別記号と、「国土調査」という標示目的が記されている。この視認可能な表示とは、文字や番号の表記のみならず、「＋」、「−」または「○」などの単純な記号も含み、標示具Ｂの存在を視認させるものであればよい。
【００２６】
前記ＩＣタグ２５は、その平面図である図５に示すように、共振体としての環状のアンテナ２６と、このアンテナ２６に接続されて標示情報を記憶した記憶回路（ＩＣチップ）２７とを備えた磁気共鳴体が用いられ、このＩＣタグ２５を上下面からシリコンゴムのような耐薬品性、耐熱・耐水性および電磁波透過性に優れた樹脂シートでサンドイッチ状に挟み込んで溶着した樹脂モールド３１により封入して形成されている。前記アンテナ２６の始端と終端とは接続部２６ａで接続され、前記記憶回路（ＩＣチップ）２７はその対面側に設けられているが、対面側でなくともよい。
【００２７】
図６に示すように、ＩＣタグ２５と磁性層２３とは、非磁性層２４によって離間している。つまり、非磁性層２４が一定の隙間を形成している。ＩＣタグ２５はそのアンテナ２６がＩＣタグ２５の厚み方向の中間部に位置している。
【００２８】
つぎに、第１実施形態の動作について説明する。図１に示す杭Ａを、図2 に示すように、調査対象となった場所の地盤Ｇに打ち込み、杭本体１の頭部１３の頂面１４ａに、表示プレート２２と、地理的情報や埋設状祝のような標示情報を記憶回路２７に記憶させたＩＣタグ２５とを備えた標示具Ｂを係止部材１５で取り付ける。この杭Ａから標示情報を読み出す場合、標示具Ｂの側方から作業者が検出器６０を近付け、標示具Ｂに対して磁界を付加する。この磁界の付加によりＩＣタグ２５のアンテナ２６（図４）が共振し、電磁波Ｗを発信する。この電磁波Ｗの検出器６０での受信強度が一定レべル以上となったとき、検出器６０に設けた報知灯または報知音発生手段が作動して作業者に報知する。これにより、杭Ａの場所がつきとめられる。図６に示すように、ＩＣタグ２５から発信された電磁波Ｗは、磁性層２３に引き込まれるが、その際、ＩＣタグ２５と磁性層２３との間に間隔があるから、その間の磁気抵抗が大きくなるので、アンテナ２６から径方向外方に大きく漏れ出したのち、磁性層２３に引き込まれる。この漏れ出した電磁波Ｗを図２の検出器６０で受信し、検出器６０に設けた表示手段で標示情報として表示する。
【００２９】
また、表示プレート２２には図４の表示３０が付されているから、標示具Ｂの標示情報が読み取れない場合でも目視によって標示具Ｂの存在を視認できるので、表示プレート２２の上面の表示３０に対応する標示情報をコンピュータのデータから取り出すことができる。
【００３０】
なお、この例では、標示具Ｂを杭Ａに装着した場合について説明したが、杭Ａを用いることなく、岩場などに標示具Ｂを直接接着した場合も同様に動作する。
【００３１】
図７は第２実施形態を示す。この第２実施形態による標示具Ｂは、表示プレート２２として、真鍮、アルミニウムのような金属で形成された偏平な円錐台状の市販の金属鋲を用いたものである。この標示具Ｂの場合、表示プレート２２の中央部に凹所２２ｄが形成され、この凹所２２ｄの中央部の挿通孔２２ａに釘のような係止部材１５を打ち込んで、係止部材１５の頭部を凹所２２ｄの底面に当てることで、地面Ｇに標示具Ｂを設置できるようになっている。係止部材１５の頂面に「＋」印のような表示３０が付される。その動作については第１実施形態と同様である。
【００３２】
図８は第３実施形態を示す。この第3 実施形態による標示具Ｂは、特にコンクリートのような固い地面への設置に適している。この場合、表示プレート２２として、真鍮、アルミニウムのような金属で形成された円板状の市販のフラット鋲を用いているが、上面が球面状に盛り上がった二点鎖線で示す基準点鋲２２Ａ、上面の中央部が球面上に盛り上がった水準点鋲２２Ｂを用いることもできる。この標示具Ｂの場合、金属鋲２２の下面側にはアンカーボルトのような係止部材１５の雄ねじ１５ａが係合する雌ねじ３２が形成されている。前記フラット鋲２２の上面にも「＋」印のような表示３０が付される。コンクリート地面Ｇへの設置にあたっては、まず、地面Ｇにドリルのような切削具で孔を形成し、この孔にアンカーボルト１５の一端を植設し、その他端にフラット鋲２２の雌ねじ３２をねじ込むことにより行う。その動作については第１実施形態と同様である。
【００３３】
図９は第４実施形態を示す。この第４実施形態による標示具Ｂは、境界部分への設置に適するものであって、地面に直接設置するプレートタイプである。上面に「境界」という文字および「⇒」を含む表示３０が付された長方形状の境界表示用プレート４０の長手方向の一側部に浅い凹所からなる取付部４１を設け、この取付部４１に表示プレート２２付きの標示具Ｂを載置し、取付部４１に設けた貫通孔４２を通して釘のような係止部材１５を地盤Ｇに打ち込む。境界プレート４０の他側部にもうーつの貫通孔４３を設け、この貫通孔４３を通して別の係止部材４５を地盤Ｇに打ち込む。
【００３４】
前記プレート４０はアルミニウムまたは真鍮のような金属製であり、電磁波Ｗを透過しにくい。そこで、この標示具Ｂは、図１１に示すように、ＩＣタグ２５の下側にも非磁性層２４と磁性層２３とを設けて、ＩＣタグ２５の下側でも電磁波Ｗが標示具Ｂの側方へ漏れ出すようにしている。
【００３５】
第１ないし第４実施形態では、磁性層２３と非磁性層２４を用いたが、次に、これらを用いない第５ないし第７実施形態について説明する。
【００３６】
図１１および図１２は第５実施形態を示す。この第５実施形態による標示具Ｂは、第１実施形態における磁性層２３や非磁性層２４を必要としない例である。この実施形態の標示具Ｂでは、後述するように、ＩＣタグ２５の上面は表示プレート２２で完全に覆われることなく、その一部が露出している。上層となる円板状の表示プレート２２の下側にＩＣタグ２５、保持体２８およびワッシャ２９を配置し、ワッシャ２９がＩＣタグ２５と保持体２８の中央部を貫通している。表示プレート２２の中央部にピン、釘またはねじ体のような係止部材１５（図２）を貫通させるための挿通孔２２ａが設けられている。ワッシャ２９はアルミニウム製あるいはシリコンゴムのような樹脂製で、その中央部に前記表示プレート２２の挿通孔２２ａの内径と合致した内径の挿通孔２９ａが設けられている。
【００３７】
最下層となる保持体２８はシリコンゴムのような樹脂材で形成されており、その上部に前記ＩＣタグ２５を収容する凹所からなる収容部２８ａが形成されている。ＩＣタグ２５および保持体２８の中央部には、ワッシャ２９を挿通させる開口２５ａ，２８ｂが設けられている。これら開口２５ａ，２８ｂの内径は、挿通孔２２ａよりも大径であり、ワッシャ２９の外径２９ｂとほぼ同一である。これらの各部材２２、２５、２８および２９は標示具Ｂ５の中心軸Ｏに沿って同心状に配置されて互いに接着により接合されている。
【００３８】
このようにして各部材２２、２５、２８および２９が組み合されると、ＩＣタグ２５、ワッシャ２９および保持体２８の各上面が面一となり、表示プレート２２の下面に接触する。ワッシャ２９の下面は保持体２８の下面と面一であり、標示具Ｂの下面に露出している。このようにすることで、ＩＣタグ２５とワッシャ２９とは、表示プレート２２と保持体２８の間にフィットした状態で収容される。ここで、前記ワッシャ２９と保持体２８は、標示具Ｂを図１の杭本体１の頭部１３に係止部材１５で打ち付けて固着するときの衝撃緩和を目的としてＩＣタグ２５の保護のために用いられるものであるが、標示具Ｂを接着により杭本体１の頭部１３に固着する場合には割愛できる。
【００３９】
前述のとおり、表示プレート２２、ＩＣタグ２５、保持体２８およびワッシャ２９は同心状に配置されているので、図１２に示すように、ＩＣタグ２５のアンテナ２６は表示プレート２２と同心に配置される。このようにアンテナ２６が表示プレート２２と同心であると、磁界が付加されたとき、アンテナ２６からの電磁波Ｗは周方向のいずれの箇所からもほぼ均等に発信されるので、均一な検出精度が得られる。この場合、表示プレート２２で覆われていないＩＣタグ２５および保持体２８の周囲および下面を通過して側方ないし上側方へ電磁波Ｗが漏れ出す。表示プレート２２には、その外周部から中心部に向かって凹入したーつの凹入部２２ｂが設けられている。凹入部２２ｂを設けたことで、ＩＣタグ２５の上面の一部が凹入部２２ｂから露出する。
【００４０】
このような設計を採用することで、表示プレート２２の外周面に検出器６０を近付けてＩＣタグ２５に磁界を付加すると、前記アンテナ２６からの電磁波Ｗが、表示プレート２２の存在しない凹入部２２ｂの露出部分から上方および側方へ漏れ出す。この電磁波Ｗを図２の検出器６０で受信し、検出器６０に設けた表示手段で標示情報として表示する。この第６実施形態の標示具Ｂにおいて、第１実施形態のように表示プレート２２の下面に磁性層２３を配置し、磁性層２３とＩＣタグ２５の間に第１実施形態の非磁性層２４を挿入すると、前記凹入部２２ｂとの相乗効果により、電磁波Ｗの漏れ量がさらに多くなって、検出および読取り精度が一層向上する。
【００４１】
図１３は第６実施形態を示す。この第６実施形態は、幅広の凹入部２２ｂを複数設けたものを示している。同図では、複数の凹入部２２ｂを周方向に９０°の間隔で４つ設けた例を示しているが、その数は２つ、３つまたは５つ以上であってもよい。このように、凹入部２２ｂを周方向に間隔をあけて複数設けた場合、ＩＣタグ２５のアンテナ２６からの電磁波ＷがＩＣタグ２５の周方向の複数箇所において多く漏れ出すので、検出性に優れ、標示情報の読取りが一層精度よく行える。
【００４２】
図１４は第７実施形態を示す。この第７実施形態の場合、保持体２８を省略し、表示プレート２２の外径をＩＣタグ２５の外径よりも若干小さく設定している。したがって、ＩＣタグ２５の外周部２５ｄが表示プレート２２によって覆われることなく標示具Ｂの上面に露出している。この露出した外周部２５ｄにＩＣタグ２５のアンテナ２６を配置しており、これによって、アンテナ２６からの電磁波ＷがＩＣタグ２５の露出した外周部上面から強い強度で発信される。この第７実施形態においても、第１実施形態のように表示プレート２２の下面に磁性層２３を配置し、磁性層２３とＩＣタグ２５の間に第１実施形態の非磁性層２４を挿入すると、電磁波Ｗの漏れ量がさらに多くなって、検出および読取り精度が一層向上する。
【００４３】
図１〜図９に示した第１〜第４実施形態でも、図１１に示した保持体２８を設けることができる。
【図面の簡単な説明】
【００４４】
【図１】本発明の第１実施形態にかかる標示具を装着した杭の斜視図である。
【図２】図１の要部の拡大断面図である。
【図３】標示具の分解正面図である。
【図４】表示プレートの平面図である。
【図５】ＩＣタグの平面図である。
【図６】標示具における電磁波の漏れ状況を模式的に示す説明図である。
【図７】第２実施形態にかかる標示具の拡大断面図である。
【図８】第３実施形態にかかる標示具の拡大断面図である。
【図９】第４実施形態にかかる標示具を装着した境界表示用プレートを示す分解斜視図である。
【図１０】第４実施形態の標示具の拡大断面図である。
【図１１】第５実施形態にかかる標示具の分解斜視図である。
【図１２】同じく第５実施形態の標示具の拡大斜視図である。
【図１３】第６実施形態にかかる標示具の拡大斜視図である。
【図１４】第７実施形態における表示プレートとＩＣタグの組み合わせ例を示す分解斜視図である。
【符号の説明】
【００４５】
１  杭本体
１３  頭部
１５  係止部材
２２  表示プレート
２２ａ  挿通孔
２２ｂ  凹入部
２３  磁性層
２４  非磁性層
２５  ＩＣタグ
２５ａ  開口
２６  アンテナ
２７  記憶回路
２８  保持体
２９ａ  挿通孔
２９  ワッシャ
３０  表示
６０  検出器
Ａ  杭
Ｂ  標示具
Ｇ  地盤
Ｗ  電磁波
【図１】
0005096862.tif 000002
【図２】
0005096862.tif 000003
【図３】
0005096862.tif 000004
【図４】
0005096862.tif 000005
【図５】
0005096862.tif 000006
【図６】
0005096862.tif 000007
【図７】
0005096862.tif 000008
【図８】
0005096862.tif 000009
【図９】
0005096862.tif 000010
【図１０】
0005096862.tif 000011
【図１１】
0005096862.tif 000012
【図１２】
0005096862.tif 000013
【図１３】
0005096862.tif 000014
【図１４】
0005096862.tif 000015